(57)【要約】【課題】  小画面に多くの設定項目、設定内容を表示する場合、設定操作全体の視認性と操作性とを損なうことがなく、しかも、設定時の個別項目の視認性を犠牲にすることがない情報設定用表示装置およびその制御装置を提供することを目的とするものである。【解決手段】  複数の設定項目を１列に表示し、所定の設定項目とそれに対応する設定内容とを同じ行に表示し、表示されている複数の設定項目のうちのいずれか１つの設定項目を選択すると、選択された設定項目を拡大表示し、選択されない設定項目を縮小表示し、選択されている設定項目に対応する複数の設定内容のうちのいずれか１つの設定内容を選択すると、選択された設定内容を拡大表示し、選択されていない設定内容を縮小表示する情報設定用表示装置である。【選択図】  図３
2007047900.tif 000002
【特許請求の範囲】
【請求項１】
複数の設定項目を表示部に表示し、各設定項目に対応する設定内容を選択して設定する情報設定用表示装置において、
複数の設定項目を１列に表示し、上記表示されている所定の設定項目と、上記所定の設定項目に対応する設定内容とを同じ行に表示する設定項目・設定内容表示手段と；
上記表示されている複数の設定項目のうちのいずれか１つの設定項目を選択すると、上記選択された設定項目を拡大表示し、上記選択されない設定項目を縮小表示する設定項目表示制御手段と；
上記選択されている設定項目に対応する複数の設定内容のうちのいずれか１つの設定内容を選択すると、上記選択された設定内容を拡大表示し、上記選択されていない設定内容を縮小表示する設定内容表示制御手段と；
上記選択されている設定項目について、上記選択されている設定内容を設定する設定手段と；
を有することを特徴とする情報設定用表示装置。
【請求項２】
複数の設定項目を表示部に表示し、各設定項目に対応する設定内容を選択して設定する情報設定用表示装置において、
複数の設定項目を１行に表示し、上記表示されている所定の設定項目と、上記所定の設定項目に対応する設定内容とを同じ列に表示する設定項目・設定内容表示手段と；
上記表示されている複数の設定項目のうちのいずれか１つの設定項目を選択すると、上記選択された設定項目を拡大表示し、上記選択されない設定項目を縮小表示する設定項目表示制御手段と；
上記選択されている設定項目に対応する複数の設定内容のうちのいずれか１つの設定内容を選択すると、上記選択された設定内容を拡大表示し、上記選択されていない設定内容を縮小表示する設定内容表示制御手段と；
上記選択されている設定項目について、上記選択されている設定内容を設定する設定手段と；
を有することを特徴とする情報設定用表示装置。
【請求項３】
請求項１または請求項２において、
上記選択された行または列を拡大するときに、拡大する設定内容を、横にのみ、または縦にのみ拡大することを特徴とする情報設定用表示装置。
【請求項４】
請求項１または請求項２において
上記選択されていない行または列を縮小するときに、縮小画像の内容を分別できるように、画像間の隙間を保つことを特徴とする情報設定用表示装置。
【請求項５】
請求項１または請求項２において、
上記選択された行または列を拡大するときに、各設定内容が画像と画像以外のものとによって表示されている場合、選択されている設定内容の画像のみを拡大し、選択されていない設定内容の画像を縮小することを特徴とする情報設定用表示装置。
【請求項６】
複数の設定項目を表示部に表示し、各設定項目に対応する設定内容を選択して設定する情報設定用表示装置の制御方法において、
複数の設定項目を１列に表示し、上記表示されている所定の設定項目と、上記所定の設定項目に対応する設定内容とを同じ行に表示する設定項目・設定内容表示工程と；
上記表示されている複数の設定項目のうちのいずれか１つの設定項目を選択すると、上記選択された設定項目を拡大表示し、上記選択されない設定項目を縮小表示する設定項目表示制御工程と；
上記選択されている設定項目に対応する複数の設定内容のうちのいずれか１つの設定内容を選択すると、上記選択された設定内容を拡大表示し、上記選択されていない設定内容を縮小表示する設定内容表示制御工程と；
上記選択されている設定項目について、上記選択されている設定内容を設定する設定工程と；
を有することを特徴とする情報設定用表示装置の制御方法。
【請求項７】
複数の設定項目を表示部に表示し、各設定項目に対応する設定内容を選択して設定する情報設定用表示装置において、
複数の設定項目を１行に表示し、上記表示されている所定の設定項目と、上記所定の設定項目に対応する設定内容とを同じ列に表示する設定項目・設定内容表示工程と；
上記表示されている複数の設定項目のうちのいずれか１つの設定項目を選択すると、上記選択された設定項目を拡大表示し、上記選択されない設定項目を縮小表示する設定項目表示制御工程と；
上記選択されている設定項目に対応する複数の設定内容のうちのいずれか１つの設定内容を選択すると、上記選択された設定内容を拡大表示し、上記選択されていない設定内容を縮小表示する設定内容表示制御工程と；
上記選択されている設定項目について、上記選択されている設定内容を設定する設定工程と；
を有することを特徴とする情報設定用表示装置の制御方法。
【請求項８】
請求項６または請求項７において、
上記選択された行または列を拡大するときに、拡大する設定内容を、横にのみ、または縦にのみ拡大することを特徴とする情報設定用表示装置の制御方法。
【請求項９】
請求項６または請求項７において
上記選択されていない行または列を縮小するときに、縮小画像の内容を分別できるように、画像間の隙間を保つことを特徴とする情報設定用表示装置の制御方法。
【請求項１０】
請求項６または請求項７において、
上記選択された行または列を拡大するときに、各設定内容が画像と画像以外のものとによって表示されている場合、選択されている設定内容の画像のみを拡大し、選択されていない設定内容の画像を縮小することを特徴とする情報設定用表示装置の制御方法。
【発明の詳細な説明】
【技術分野】
【０００１】
本発明は、メモリカード内の画像データを直接印刷するインクジェット記録装置や、スキャナとプリンタとが一体になった複合印刷機等に設けられている小画面のメニュー表示設定装置に関する。
【背景技術】
【０００２】
インクジェット記録装置は、一般に、接続されているコンピュータから送られた印刷データを受け取り、この受け取った印刷データを、記録用紙に適宜印刷する発明である。
【０００３】
ところで、デジタルカメラ等で撮影した画像をより簡便に印刷するために、デジタルカメラを、インクジェット記録装置に直接接続し、印刷する機能を付加したものが提案されている。また、画像データを保存したメモリカードを、インクジェット記録装置に直接装填し、メモリカード内の画像データを印刷するフォトダイレクト機と呼ばれるインクジェット記録装置も提案されている。また、近年、スキャナとインクジェット記録装置とを一体に構成し、コピー装置としても使用できる複合機も提案されている。
【０００４】
このようなフォトダイレクト機や複合機において、コンピュータからの操作なしに印刷する場合、本体上に設けられている表示装置と操作キーとを用い、印刷設定等の設定を行う必要がある。
【０００５】
これらフォトダイレクト機や複合機の本体上に設けられている表示装置（小画面メニュー表示設定装置）は、コンピュータ画面に比べると格段と小さい。よって、フォトダイレクト機や複合機の本体上に設けられている表示装置にメニュー表示する場合、コンピュータ画面上でメニュー表示する場合とは異なる工夫が必要である。
【０００６】
従来の小画面メニュー表示設定装置には、設定する複数の設定項目を１列に並べ（縦に並べ）、複数の設定項目のそれぞれに対応する設定内容を横に並べて表示するものが知られている（たとえば、特許文献１参照）。そして、特許文献１では、選択された設定内容は、外枠やハイライト等を表示することによって、設定値を判別できる。また、設定する設定項目のみを文字表示し、設定内容も表示し、設定する項目以外の項目について、アイコンだけを表示し、小画面での視認性向上を図った装置が知られている（たとえば、特許文献２参照）。
【特許文献１】特開２００４−２０７９２６号公報（第９頁、第４図）
【特許文献２】特開２００２−２９７２７８号公報（第１０頁、第４図）
【発明の開示】
【発明が解決しようとする課題】
【０００７】
しかし、特許文献１記載の表示方法では、設定項目と設定内容とを一覧できるようにしてあるので、設定操作全体での視認性や操作性に優れるものの、設定項目数が増えると、各設置項目、各設定内容が小さくなり、個別文字やアイコンの視認性が犠牲になるという問題がある。
【０００８】
また、特許文献２記載の表示方法では、設定しようとする設定項目のみを大きく表示し、設定しようとする設定項目以外の設定項目をアイコン表示するので、小画面においても多くの設定項目を表示することができるものの、アイコン化された設定項目の内容を一覧することができず、したがって、設定操作全体での視認性や操作容易性が劣るという問題がある。
【０００９】
本発明は、小画面に多くの設定項目、設定内容を表示する場合、設定操作全体の視認性と操作性とを損なうことがなく、しかも、設定時の個別項目の視認性を犠牲にすることがない情報設定用表示装置およびその制御装置を提供することを目的とするものである。
【課題を解決するための手段】
【００１０】
本発明は、複数の設定項目を表示部に表示し、各設定項目に対応する設定内容を選択して設定する情報設定用表示装置において、複数の設定項目を１列に表示し、上記表示されている所定の設定項目と上記所定の設定項目に対応する設定内容とを同じ行に表示する設定項目・設定内容表示手段と、上記表示されている複数の設定項目のうちのいずれか１つの設定項目を選択すると、上記選択された設定項目を拡大表示し、上記選択されない設定項目を縮小表示する設定項目表示制御手段と、上記選択されている設定項目に対応する複数の設定内容のうちのいずれか１つの設定内容を選択すると、上記選択された設定内容を拡大表示し、上記選択されていない設定内容を縮小表示する設定内容表示制御手段と、上記選択されている設定項目について、上記選択されている設定内容を設定する設定手段とを有することを特徴とする情報設定用表示装置である。
【００１１】
また、本発明は、複数の設定項目を表示部に表示し、各設定項目に対応する設定内容を選択して設定する情報設定用表示装置において、複数の設定項目を１行に表示し、上記表示されている所定の設定項目と、上記所定の設定項目に対応する設定内容とを同じ列に表示する設定項目・設定内容表示手段と、上記表示されている複数の設定項目のうちのいずれか１つの設定項目を選択すると、上記選択された設定項目を拡大表示し、上記選択されない設定項目を縮小表示する設定項目表示制御手段と、上記選択されている設定項目に対応する複数の設定内容のうちのいずれか１つの設定内容を選択すると、上記選択された設定内容を拡大表示し、上記選択されていない設定内容を縮小表示する設定内容表示制御手段と、上記選択されている設定項目について、上記選択されている設定内容を設定する設定手段とを有することを特徴とする情報設定用表示装置である。
【発明の効果】
【００１２】
本発明によれば、小画面に多くの設定項目を表示する場合、設定操作全体の視認性と操作性とを損なうことがなく、しかも、設定時の個別項目の視認性を犠牲にすることがないという効果を奏する。
【発明を実施するための最良の形態】
【００１３】
発明を実施するための最良の形態は、次の実施例である。
【実施例１】
【００１４】
図１は、本発明の実施例１であるインクジェット記録装置１を示す斜視図である。
【００１５】
インクジェット記録装置１は、表示装置Ｄと、操作キー部１２と、記録部１３とを有する。
【００１６】
表示装置Ｄは、インクジェット記録装置１に設けられているＬＣＤ等の表示装置であり、表示部１１を有する。
【００１７】
また、接続線３を介して、デジタルカメラ２が、インクジェット記録装置１に接続されている。
【００１８】
図２は、インクジェット記録装置１に設けられている表示装置Ｄと操作キー部１２との例を拡大して示す図である。
【００１９】
操作キー部１２は、印刷開始キー１２１と、印刷中止キー１２２と、モード選択キー１２３と、印刷設定モードキー１２３ａと、レイアウトモードキー１２３ｂと、画像表示モードキー１２３ｃと、メンテナンスモードキー１２３ｄと、十字キー１２４と、上キー１２４ａと、下キー１２４ｂと、左キー１２４ｃと、右キー１２４ｄとを有する。
【００２０】
図３は、本発明の実施例１である表示装置Ｄに設けられている表示部１１が表示する表示画面の模式図であり、図３（１）は、非設定動作時における表示画面を示す図であり、図３（２）は、設定時における表示画面を示す図である。
【００２１】
図３（１）において、設定項目が、１列に示されている（縦方向に表示されている）。実施例１において、設定項目として、「画像指定」、「用紙種類」、「レイアウト」、「印刷部数」、「自動補正」、「印刷品位」、「日付け印刷」の７項目が表示され、これらの項目を設定することができる。所定の設定項目に対応する設定内容は、上記所定の設定項目が表示されている行と同じ行に表示されている。たとえば、設定項目「印刷品位」の設定内容として、「はやい」、「ふつう」、「きれい」の３種類があり、設定項目「印刷品位」と同じ行に表示される。そして、設定内容「はやい」に、外枠が設けられているので、設定項目「印刷品位」として、設定内容「はやい」が選択されている。
【００２２】
設定項目「レイアウト」が記載されている行には、選択した画像を、１枚の用紙に、どのように配置し、印刷するのかを設定する内容が表示されている。つまり、設定項目「レイアウト」の右側には、選択画像のレイアウトを示す画像（選択画像の配置例）と、１枚の用紙に何枚の画像を印刷するのかを示す枚数とが表示される。そして、上記枚数を示す数字の１つに外枠が表示されるので、上記外枠が表示されている数が、設定されている枚数である。
【００２３】
実施例１では、設定されている設定内容に外枠を表示しているが、このようにする代わりに、設定されている設定内容を、白黒反転させるハイライト表示を行うようにしてもよい。
【００２４】
実施例１において、設定項目「レイアウト」の設定内容として以下のものが設けられている。左端から、「１枚の用紙に１枚の画像を縁なし印字するレイアウト」、「１枚の用紙に１枚の画像を縁ありで印字するレイアウト」、以下１枚の用紙に、縁ありで、それぞれ２、４、６、９枚の印字を行うレイアウトの６種類である。
【００２５】
上キー１２４ａと下キー１２４ｂとが、項目入力手段であり、上キー１２４ａ、下キー１２４ｂを押下することによって、画像指定、用紙種類、レイアウト等の設定項目を選択する。また、左キー１２４ｃと右キー１２４ｄとが、設定内容入力手段であり、左キー１２４ｃ、右キー１２４ｄを押下することによって、各設定項目内における設定値を選択する。たとえば、設定項目「印刷品位」については、設定内容「はやい」、「ふつう」、「きれい」を選択する。カーソル位置を、太外枠で示し、つまり、複数の設定項目のうちで、選択された設定値（選択された設定内容）が、太外枠で囲まれている。
【００２６】
実施例１では、複数の設定項目が１列に表示され、１つの設定項目に属する設定内容が、その設定項目と同じ行に表示されているが、この行と列との関係を逆にしてもよい。つまり、複数の設定項目を１行に表示し、１つの設定項目に属する設定内容を、その設定項目と同じ列に表示するようにしてもよい。
【００２７】
図３（２）は、設定時における表示画面を示す図であり、具体的には、設定項目「印刷品位」を設定するときにおける状態を示す図である。
【００２８】
選択されている印刷品位の行が上下に拡大され、選択されていない設定項目の行が、上下に縮小して表示されている。また、設定内容「はやい」が選択されているので、設定内容「はやい」に、外枠が表示され、また、設定内容「はやい」のみが、横方向にも拡大されている。
【００２９】
設定項目「レイアウト」が表示されている行に表示されているその設定内容も上下に縮小される。したがって、設定内容の表示を上限に単純に縮小すると、設定内容の表示同士の隙間がつぶれ、設定内容の表示が不明確になるので、設定内容の表示を保ちながら、設定内容の表示画像の大きさや縦横比を変更し、隙間を保つように縮小する。また、設定内容「はやい」に表示されている外枠が、他の行に表示されている外枠よりも太いので、太い外枠が表示されている行が、現在における設定行であることが、さらに分かり易い。
【００３０】
上記のように、選択した設定内容が表示されている行の表示を拡大することによって、設定操作の視認性や操作性が向上される。また、他の行においては、表示が縮小されるものの、表示内容を変えないので、外枠表示による設定内容を確認することができる。
【００３１】
上記のように、全体の配置、各画像や文字の配置を変えずに、縮小拡大するので、ユーザが使い慣れれば、外枠の位置を一瞥するだけで、設定状態がいつも通りであるかどうかを把握することができ、設定作業の操作性が向上する。
【実施例２】
【００３２】
図４は、本発明の実施例２であるインクジェット記録装置における表示画面の表示例を示す模式図である。
【００３３】
なお、実施例２であるインクジェット記録装置の構成は、実施例１であるインクジェット記録装置１の構成と同様である。
【００３４】
図４（１）は、実施例２において、非設定動作時における表示画面を示す図であり、図４（２）は、実施例２において、設定時における表示画面を示す図である。
【００３５】
実施例２は、表示部（表示画面）１１の横幅が、特に狭い場合における表示例である。
【００３６】
実施例２において、設定項目「印刷品位」における設定内容「はやい」に太外枠が表示されているので、設定項目「印刷品位」を設定する状態であり、その選択内容として設定内容「はやい」が選択されている状態であることが分かる。このときに、設定項目「印刷品位」の行全体が上下に拡大表示されているが、表示部１１の横幅が狭い。そこで、太外枠で示されている選択された設定内容「はやい」を、横方向にも拡大すると、設定内容「ふつう」、「きれい」が小さくなり過ぎるので、上下方向にのみ拡大している。
【実施例３】
【００３７】
図５は、本発明の実施例３であるインクジェット記録装置における表示画面の表示例を示す模式図である。
【００３８】
なお、実施例３であるインクジェット記録装置の構成は、実施例１であるインクジェット記録装置１の構成と同様である。
【００３９】
図５（１）は、実施例３において、非設定動作時における表示画面を示す図であり、図５（２）は、実施例３において、設定時における表示画面を示す図である。
【００４０】
実施例３も、表示部（表示画面）１１の横幅が、特に狭く、選択行全体を横方向に拡大表示すると、十分な視認性が得られない場合における表示例である。
【００４１】
この場合、設定項目「レイアウト」が表示されている行の「４」に太外枠があるので、設定項目「レイアウト」を設定する状態であり、選択内容として、画像４枚を、１枚の用紙に田の字状に並べて印刷するレイアウトを選択していることが分かる。
【００４２】
このときに、設定項目「レイアウト」が表示されている行全体は、上下に拡大表示されているが、表示画面の横幅が狭い。そこで、設定項目「レイアウト」が表示されている行を、全体的に横方向に拡大することができず、また、上下にのみ拡大すると、レイアウト状態をユーザが正しく理解し難い。
【００４３】
そこで、選択した設定内容のレイアウト、つまりレイアウト枚数を示す番号に太外枠が表示されているレイアウトのみを、できるだけ拡大し、他のレイアウトを、非設定表示状態よりも縮小して表示している。
【００４４】
このように、選択されていない行を縮小するのと同様に、選択されていない設定内容を縮小することによって、レイアウトを示す画像をより大きく表示することができる。さらに、拡大表示されているレイアウトは、用紙の縦横比、印刷する写真の縦横比、余白等を、できるだけ正確に表現し、これによって、ユーザに、よりわかりやすい操作性を提供することができる。
【００４５】
縮小したレイアウトは、縦横比や余白の正確性が犠牲されるものの、縮小した図でより判別し易いように模式的に表示するので、何を選択しているか、他にどのような設定値があるのかが分かる。
【００４６】
さらに、表示画面が小さく、縮小すると文字がつぶれて判別し難いような場合でも、画面全体の配置を保ち、外枠等の設定内容を表示する方法によって、設定項目全体の一覧性を保つことができる。
【００４７】
上記実施例によれば、選択操作の視認性が向上し、また、設定状態の一覧性を確保することができ、したがって、設定の良好な操作性を実現できる。
【００４８】
また、上記実施例によれば、選択されていない行または列を縮小する場合、縮小画像でも内容を分別できるように画像内の隙間を保つように縮小するので、設定状態の一覧性が向上する。
【００４９】
さらに、上記実施例によれば、選択された行を拡大する場合、各設定値が画像で表示されていると、選択された設定内容の画像のみを拡大し、その他の設定内容の画像を縮小するので、選択操作の視認性がより向上する。
【図面の簡単な説明】
【００５０】
【図１】本発明の実施例１であるインクジェット記録装置１を示す斜視図である。
【図２】インクジェット記録装置１に設けられている表示装置Ｄと操作キー部１２との例を拡大して示す図である。
【図３】本発明の実施例１である表示装置Ｄに設けられている表示部１１が表示する表示画面の模式図であり、図３（１）は、非設定動作時における表示画面を示す図であり、図３（２）は、設定時における表示画面を示す図である。
【図４】本発明の実施例２であるインクジェット記録装置における表示画面の表示例を示す模式図である。
【図５】本発明の実施例３であるインクジェット記録装置における表示画面の表示例を示す模式図である。
【符号の説明】
【００５１】
１…インクジェット記録装置、
２…デジタルカメラ、
３…接続線、
Ｄ…表示装置、
１１…表示部、
１２…操作キー部、
１３…記録部。
【図１】
2007047900.tif 000003
【図２】
2007047900.tif 000004
【図３】
2007047900.tif 000005
【図４】
2007047900.tif 000006
【図５】
2007047900.tif 000007